【手続補正書】
【提出日】令和1年7月23日(2019.7.23)
【手続補正１】
【補正対象書類名】特許請求の範囲
【補正対象項目名】全文
【補正方法】変更
【補正の内容】
【特許請求の範囲】
【請求項１】
眼科手術中に光毒性をモニタリングするシステムであって、
照明ビームを伝播させるように動作可能な光ファイバに接続された硝子体可視化装置であって、前記照明ビームが網膜上に光スポットをもたらす、硝子体可視化装置と、
手術用顕微鏡と、
前記光スポットを検出し、前記光スポットに関連するデータを生成するように動作可能なデジタルカメラと、
プロセッサであって、
前記デジタルカメラから前記光スポットに関連するデータを受け取り、前記データが、前記光スポットのサイズと、前記光スポットが前記網膜の焦点領域に集束された経過時間と含み、
前記焦点領域に入射した光エネルギーの量を求め、光エネルギーの前記量が前記経過時間に対応し、
複数の焦点領域に入射した光エネルギーの前記量に基づき、前記網膜に入射した光エネルギーの累積量を求め、
光エネルギーの前記累積量が、光毒性に対する最大曝露限界に関連して定義される警告閾値を満たすかまたは超えるか否かを判断し、
光エネルギーの前記累積量が前記警告閾値を満たすかまたは超えた場合に警告を生成し、
前記警告を警告システムに送信する
ように動作可能なプロセッサと、
を備えるシステム。
【請求項２】
前記硝子体可視化装置に接続された制御デバイスであって、前記照明ビームの輝度を調整するように動作可能な制御デバイスをさらに備え、前記プロセッサが、制御信号を生成し前記制御デバイスに送信するようにさらに構成され、前記制御信号が、警告が生成された場合に、前記照明ビームを一時停止するかまたはオフにするように動作可能である、請求項１に記載のシステム。
【請求項３】
前記硝子体可視化装置に接続された制御デバイスであって、前記照明ビームの輝度を調整するように動作可能な制御デバイスをさらに備え、前記プロセッサが、制御信号を生成し前記制御デバイスに送信するようにさらに構成され、前記制御信号が、警告が生成された場合に、前記照明ビームの輝度を調整するように動作可能である、請求項１に記載のシステム。
【請求項４】
前記プロセッサが、前記照明ビームの前記輝度を調整する前に手動確認入力の受取を必要とするようにさらに構成されている、請求項３に記載のシステム。
【請求項５】
手動確認用デバイスをさらに備え、前記手動確認用デバイスが、前記照明ビームの輝度の調整の確認を入力するように動作可能である、請求項４に記載のシステム。
【請求項６】
調整の前記手動確認用デバイスが、ボタン、スイッチ、キーもしくはジョイスティック、またはそれらの任意の組合せである、請求項５に記載のシステム。
【請求項７】
前記警告システムが、絵画的表現を提示するように動作可能なディスプレイを備え、
前記プロセッサが、警告が生成された場合、前記生成された警告を示すように前記絵画的表現を生成するようにさらに構成されている、請求項１に記載のシステム。
【請求項８】
前記絵画的表現が、前記網膜の各焦点領域に入射した光エネルギーの累積量をさらに示す、請求項７に記載のシステム。
【請求項９】
前記絵画的表現が、前記網膜の各焦点領域に入射した光エネルギーの増大をさらに示す、請求項７に記載のシステム。
【請求項１０】
前記プロセッサが、前記硝子体可視化装置のカッタと前記網膜との間の距離を求めるようにさらに構成され、前記距離が、前記網膜上の前記光スポットのサイズに関連して求められる、請求項７に記載のシステム。
【請求項１１】
前記プロセッサが、前記カッタと前記網膜との間の距離が距離閾値を満たすかまたは超えるか否かを判断するようにさらに構成されている、請求項１０に記載のシステム。
【請求項１２】
前記プロセッサが、前記距離が距離閾値を満たすかまたは超えた場合に警告を生成するようにさらに構成されている、請求項１１に記載のシステム。
【請求項１３】
前記絵画的表現が、前記光スポットのサイズの変化をさらに示し、前記変化が、前記カッタと前記網膜との間の新たな距離に対応する、請求項１０に記載のシステム。
【請求項１４】
前記プロセッサが、
前記光スポットが接触した前記網膜の焦点領域を求め、
前記光スポットが接触した焦点領域に関連するデータを生成し、前記焦点領域が、硝子体が除去されたその領域を示す
ようにさらに構成されている、請求項１に記載のシステム。
【請求項１５】
前記絵画的表現が、硝子体が除去された領域をさらに示す、請求項７に記載のシステム。
【請求項１６】
眼科手術中に光毒性をモニタリングする方法であって、
照明ビームによってもたらされる複数の光スポットの各々に対するデータを受け取るステップであって、前記データが、前記複数の光スポットのうちの１つの光スポットのサイズと、前記光スポットが網膜の焦点領域に集束された経過時間とを含む、ステップと、
対応する前記経過時間に関連して前記焦点領域に入射した光エネルギーの量を求めるステップと、
複数の焦点領域に入射した光エネルギーの前記量に基づき、前記網膜に入射した光エネルギーの累積量を求めるステップと、
前記網膜に入射した光エネルギーの前記累積量が、光毒性に対する最大曝露限界に関連して定義された警告閾値を満たすかまたは超えるか否かを判断するステップと、
前記網膜に入射した光エネルギーの前記累積量が前記警告閾値を満たすかまたは超えた場合に警告を生成するステップと、
前記警告を警告システムに送信するステップと、
を含む方法。
【請求項１７】
警告が生成された場合に制御信号を生成し送信するステップをさらに含み、前記制御信号が、前記照明ビームを一時停止するかまたはオフにするように動作可能である、請求項１６に記載の方法。
【請求項１８】
警告が生成された場合に制御信号を生成し送信するステップをさらに含み、前記制御信号が、前記照明ビームの輝度を調整するように動作可能である、請求項１６に記載の方法。
【請求項１９】
前記制御信号を送信するために手動確認が必要であるか否かを判断するステップと、手動確認が受け取られた後にのみ前記制御信号を送信するステップとをさらに含む、請求項１７又は１８に記載の方法。
【請求項２０】
絵画的表現を生成するステップと、前記絵画的表現を前記警告システムに送信するステップであって、前記警告システムがディスプレイを含む、ステップとをさらに含む、請求項１６に記載の方法。
【請求項２１】
前記絵画的表現を生成するステップが、警告が生成された場合に、生成された前記警告を示すように前記絵画的表現を生成することをさらに含む、請求項２０に記載の方法。
【請求項２２】
硝子体可視化装置のカッタと前記網膜との間の距離を求めるステップをさらに含み、前記距離が、前記網膜上の前記光スポットのサイズに関連して求められる、請求項１６に記載の方法。
【請求項２３】
前記カッタと前記網膜との間の距離が、距離閾値を満たすかまたは超えるか否かを判断するステップをさらに含む、請求項２２に記載の方法。
【請求項２４】
前記距離が距離閾値を満たすかまたは超えた場合に警告を生成するステップをさらに含む、請求項２３に記載の方法。
【請求項２５】
手術処置中に前記光スポットが接触した前記網膜の焦点領域を求めるステップと、
前記絵画的表現に含めるように、前記光スポットが接触した焦点領域に関連するデータを生成するステップであって、前記焦点領域が、硝子体が除去された領域を示す、ステップと、
をさらに含む、請求項２０又は２１に記載の方法。